【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって行われる、ネットワークと通信する方法であって、前記方法は、
第１のネットワークから、トラフィックステアリングに関連する情報を受信することと、
トラフィックステアリングに関連する前記情報に基づいて、前記第１のネットワークから第２のネットワークへとトラフィックをステアリングすることと
を含み、
トラフィックステアリングに関連する前記情報は、閾値を含み、前記閾値は、前記第１のネットワークから前記第２のネットワークへとトラフィックをステアリングするための条件が満たされるか否かを決定するために使用される、方法。
【請求項２】
前記閾値は、前記第２のネットワークからの信号の低品質に関する第１の閾値と、前記第２のネットワークからの信号の高品質に関する第２の閾値とを含む、請求項１に記載の方法。
【請求項３】
前記第２のネットワークからの信号の測定された品質が前記第２の閾値よりよい場合、前記ＵＥは、前記第１のネットワークから前記第２のネットワークへとトラフィックをステアリングする、請求項２に記載の方法。
【請求項４】
前記閾値は、前記第２のネットワークの低負荷に関する第３の閾値と、前記第２のネットワークの高負荷に関する第４の閾値とを含む、請求項１に記載の方法。
【請求項５】
前記第２のネットワークの測定された負荷が前記第３の閾値より低い場合、前記ＵＥは、前記第１のネットワークから前記第２のネットワークへとトラフィックをステアリングする、請求項４に記載の方法。
【請求項６】
トラフィックステアリングに関連する前記情報は、前記第２のネットワークのアイデンティティリストをさらに含む、請求項１に記載の方法。
【請求項７】
前記第２のネットワークのアイデンティティリストは、前記第２のネットワークのＳＳＩＤ（ｓｅｒｖｉｃｅ  ｓｅｔ  ｉｄｅｎｔｉｆｉｅｒ）、ＢＳＳＩＤ（ｂａｓｉｃ  ｓｅｒｖｉｃｅ  ｓｅｔ  ｉｄｅｎｔｉｆｉｅｒ）およびＨＥＳＳＩＤ（ｈｏｍｏｇｅｎｏｕｓ  ｅｘｔｅｎｄｅｄ  ｓｅｒｖｉｃｅ  ｓｅｔ  ｉｄｅｎｔｉｆｉｅｒ）のうちの少なくとも１つを提供する、請求項６に記載の方法。
【請求項８】
前記第２のネットワークのアイデンティティリストにおいて提供される前記ＳＳＩＤ、ＢＳＳＩＤおよびＨＥＳＳＩＤのみは、前記第１のネットワークから前記第２のネットワークへとトラフィックをステアリングするために考慮されることができる、請求項７に記載の方法。
【請求項９】
トラフィックステアリングに関連する前記情報は、前記第１のネットワークによって伝送されるシステム情報を介して受信される、請求項１に記載の方法。
【請求項１０】
トラフィックステアリングに関連する前記情報は、前記第１のネットワークによってブロードキャストされる、請求項１に記載の方法。
【請求項１１】
ネットワークと通信するユーザ機器（ＵＥ）であって、前記ＵＥは、
無線信号を伝送および受信する無線周波数（ＲＦ）部と、
前記ＲＦ部に結合されたプロセッサと
を備え、
前記プロセッサは、第１のネットワークから、トラフィックステアリングに関連する情報を受信し、トラフィックステアリングに関連する前記情報に基づいて、前記第１のネットワークから第２のネットワークへとトラフィックをステアリングし、
トラフィックステアリングに関連する前記情報は、閾値を含み、前記閾値は、前記第１のネットワークから前記第２のネットワークへとトラフィックをステアリングするための条件が満たされるか否かを決定するために使用される、ＵＥ。
【手続補正２】
【補正対象書類名】明細書
【補正対象項目名】００１９
【補正方法】変更
【補正の内容】
【００１９】
他の態様において、無線通信システムで動作する無線装置が提供される。前記無線装置は、第１のアクセスネットワーク信号を送受信する第１のＲＦ部と、第２のアクセスネットワーク信号を送受信する第２のＲＦ部と、前記第１のＲＦ部及び前記第２のＲＦ部と機能的に結合されて動作するプロセッサとを備える。前記プロセッサは、第１のアクセスネットワークからトラフィックルーティング設定を受信し、前記トラフィックルーティング設定は、トラフィックルーティング基準を特定し、第２のアクセスネットワークを探索し、前記探索により発見された第２のアクセスネットワークエンティティーが前記トラフィックルーティング基準を満たすか否かを判断し、及び前記トラフィックルーティング基準が満たされれば、前記第２のアクセスネットワークエンティティーを介して前記第１のアクセスネットワークのトラフィックを処理するように設定される。
本願明細書は、例えば、以下の項目も提供する。
（項目１）
多重アクセスネットワークを支援する無線通信システムにおいて端末により行われる通信方法であって、
前記方法は、
第１のアクセスネットワークからトラフィックルーティング設定を受信し、前記トラフィックルーティング設定は、トラフィックルーティング基準を特定し、
第２のアクセスネットワークを探索し、
前記探索により発見された第２のアクセスネットワークエンティティーが前記トラフィックルーティング基準を満たすか否かを判断し、及び
前記トラフィックルーティング基準が満たされれば、前記第２のアクセスネットワークエンティティーを介して前記第１のアクセスネットワークのトラフィックを処理することを含むことを特徴とする方法。
（項目２）
前記トラフィックルーティング設定は、
前記第１のアクセスネットワークの前記トラフィック処理が許容される１つ以上の関心第２のアクセスネットワークエンティティーを特定する関心第２のアクセスネットワークエンティティーリストと、
前記関心第２のアクセスネットワークエンティティーリストの各エンティティーと関連したルーティングイベントと、
を含み、
前記ルーティングイベントは、関連した関心第２のアクセスネットワークエンティティーに対する前記トラフィックルーティング基準を特定することを特徴とする項目１に記載の方法。
（項目３）
前記ルーティングイベントは、前記関連した関心第２のアクセスネットワークエンティティーの信号品質と関連した前記トラフィックルーティング基準を特定することを特徴とする項目２に記載の方法。
（項目４）
前記ルーティングイベントは、前記関連した関心第２のアクセスネットワークエンティティーの負荷と関連した前記トラフィックルーティング基準を特定することを特徴とする項目２に記載の方法。
（項目５）
前記ルーティングイベントは、前記関連した関心第２のアクセスネットワークエンティティーに対して前記第１のアクセスネットワークの信号品質と関連した前記トラフィックルーティング基準を特定することを特徴とする項目２に記載の方法。
（項目６）
前記ルーティングイベントは、前記関連した関心第２のアクセスネットワークエンティティーに対して前記第１のアクセスネットワークの負荷と関連した前記トラフィックルーティング基準を特定することを特徴とする項目２に記載の方法。
（項目７）
前記第２のアクセスネットワークを探索することは、
前記関心第２のアクセスネットワークエンティティーリストに含まれた前記第２のアクセスネットワークエンティティーを発見することを含むことを特徴とする項目２に記載の方法。
（項目８）
前記トラフィックルーティング基準を満たすか否かを判断することは、
前記第２のアクセスネットワークエンティティーと関連した前記ルーティングイベントが満たされれば、前記トラフィックルーティング基準が満たされたと決定することを含むことを特徴とする項目７に記載の方法。
（項目９）
前記第２のアクセスネットワークエンティティーを介して第１のアクセスネットワークのトラフィックを処理することは、
前記トラフィックルーティング基準が満たされれば、前記第２のアクセスネットワークエンティティーに関する情報を前記第１のアクセスネットワークに報告し、
前記第２のアクセスネットワークエンティティーを介したトラフィックルーティングを指示するトラフィックルーティング指示を前記第１のアクセスネットワークから受信し、及び
前記第２のアクセスネットワークエンティティーに前記第１のアクセスネットワークのトラフィックをルーティングさせて処理することを含むことを特徴とする項目１に記載の方法。
（項目１０）
前記第２のアクセスネットワークエンティティーに関する情報は、
前記第２のアクセスネットワークエンティティーの識別情報、
前記第２のアクセスネットワークエンティティーの位置情報、
前記第２のアクセスネットワークエンティティーの信号特定情報、
前記第２のアクセスネットワークエンティティーのチャネル情報、
前記第２のアクセスネットワークエンティティーの運営プロトコル情報、及び
前記第２のアクセスネットワークエンティティーの優先順位情報のうち、少なくとも１つを含むことを特徴とする項目９に記載の方法。
（項目１１）
前記第１のアクセスネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）基盤のアクセスネットワークであり、
前記第２のアクセスネットワークは、ＷＬＡＮ（Ｗｉｒｅｌｅｓｓ  Ｌｏｃａｌ  Ａｒｅａ  Ｎｅｔｗｏｒｋ）基盤のアクセスネットワークであることを特徴とする項目１に記載の方法。
（項目１２）
前記トラフィックルーティング設定は、前記第１のアクセスネットワークからブロードキャストされるシステム情報に含まれて伝送されることを特徴とする項目１１に記載の方法。
（項目１３）
前記トラフィックルーティング設定は、前記第１のアクセスネットワークから伝送されるＲＲＣ（Ｒａｄｉｏ  Ｒｅｓｏｕｒｃｅ  Ｃｏｎｔｒｏｌ）メッセージに含まれて伝送されることを特徴とする項目１１に記載の方法。
（項目１４）
無線通信システムで動作する無線装置であって、
前記無線装置は、
第１のアクセスネットワーク信号を送受信する第１のＲＦ部と、
第２のアクセスネットワーク信号を送受信する第２のＲＦ部と、
前記第１のＲＦ部及び前記第２のＲＦ部と機能的に結合されて動作するプロセッサと、
を備え、
前記プロセッサは、第１のアクセスネットワークからトラフィックルーティング設定を受信し、前記トラフィックルーティング設定は、トラフィックルーティング基準を特定し、第２のアクセスネットワークを探索し、
前記探索により発見された第２のアクセスネットワークエンティティーが前記トラフィックルーティング基準を満たすか否かを判断し、及び
前記トラフィックルーティング基準が満たされれば、前記第２のアクセスネットワークエンティティーを介して前記第１のアクセスネットワークのトラフィックを処理するように設定されることを特徴とする無線装置。